(57)【要約】【課題】ポリエーテルポリオール、ポリエステルポリオール又はポリウレタン組成物の安定化。【解決手段】本発明は、（ａ）ポリエーテルポリオール、ポリエステルポリオール又はポリウレタン、（ｂ）式（Ｉ）で表されるＵＶ吸収剤及び／又は式（ＩＩ）で表されるヒンダードアミン光安定剤【化１】2008504422.tif 000060（式中、Ｒ1及びＲ2は、互いに独立して炭素原子数１ないし４のアルキル基又は炭素原子数１ないし４のアルコキシ基を表す。）、及び（ｃ）前記成分（Ｉ）及び（ＩＩ）のうち１つだけが存在する場合、少なくとも１種の更なるＵＶ吸収剤及び／又はヒンダードアミン光安定剤を含み、但し、成分（ｃ）が請求項１で定義される式（Ａ）ないし（Ｄ）で表される化合物ではない組成物に関する。
2008504422.tif 000002
【特許請求の範囲】
【請求項１】
（ａ）ポリエーテルポリオール、ポリエステルポリオール又はポリウレタン、
（ｂ）下記の式（Ｉ）で表されるＵＶ吸収剤及び／又は下記の式（ＩＩ）で表されるヒンダードアミン光安定剤
【化１】
2008504422.tif 000048
（式中、Ｒ1及びＲ2は、互いに独立して炭素原子数１ないし４のアルキル基又は炭素原子数１ないし４のアルコキシ基を表す。）、及び
（ｃ）前記成分（Ｉ）及び（ＩＩ）のうち１つだけが存在する場合、少なくとも１種の更なるＵＶ吸収剤及び／又はヒンダードアミン光安定剤を含む組成物であって、但し、成分（ｃ）が下記の式（Ａ）ないし（Ｄ）
【化２】
2008504422.tif 000049
で表される化合物ではない組成物。
【請求項２】
前記成分（ｃ）として下記の式ＨＡ−１ないしＨＡ−１１で表されるヒンダードアミン光安定剤又は下記の式ＵＶ−１ないしＵＶ−８で表されるＵＶ吸収剤を含む、請求項１記載
の組成物
【化３】
2008504422.tif 000050
【化４】
2008504422.tif 000051
【化５】
2008504422.tif 000052
【化６】
2008504422.tif 000053
【化７】
2008504422.tif 000054
ＨＡ−１１）７−オキサ−３，２０−ジアザジスピロ[５．１．１１．２]ヘンエイコサノ−２１−オン、２，２，４，４−テトラメチル−２０−（オキシラニルメチル）−と（クロロメチル）オキシランとのポリマー（別名：エピクロロヒドリン−２，２，４，４−テトラメチル−７−オキサ−３，２０−ジアザ−２０−（２，３−エポキシプロピル）ジスピロ[５．１．１１．２]ヘンエイコサノ−２１−オンコポリマー）
【化８】
2008504422.tif 000055
【化９】
2008504422.tif 000056
【化１０】
2008504422.tif 000057
【化１１】
2008504422.tif 000058
【請求項３】
更なる添加剤を含む、請求項１記載の組成物。
【請求項４】
更なる安定剤を含む、請求項１記載の組成物。
【請求項５】
更なる安定剤として酸化防止剤、光安定剤及び／又は加工安定剤を含む、請求項４記載の組成物。
【請求項６】
更なる安定剤としてフェノール系及び／又はアミン系酸化防止剤、ヒンダードアミン光安定剤、ＵＶ吸収剤、ホスフィット、ホスホナイト及び／又はベンゾフラノンを含む、請求項５記載の組成物。
【請求項７】
更なる安定剤としてヒンダードアミン光安定剤、ＵＶ吸収剤、フェノール系酸化防止剤及び／又はホスフィットを含む、請求項６記載の組成物。
【請求項８】
前記成分（ｂ）が、式（Ｉ）で表されるＵＶ吸収剤と式（ＩＩ）で表されるヒンダードアミン光安定剤の組合せである、請求項１記載の組成物。
【請求項９】
前記式（Ｉ）で表されるＵＶ吸収剤が式（Ｉａ）
【化１２】
2008504422.tif 000059
で表される化合物である、請求項１記載の組成物。
【請求項１０】
前記成分（ｂ）が前記式（Ｉ）で表されるＵＶ吸収剤であり、及び前記成分（ｃ）がヒンダードアミン光安定剤である、請求項１記載の組成物。
【請求項１１】
前記成分（ｂ）が前記式（ＩＩ）で表されるヒンダードアミン光安定剤であり、及び成分（ｃ）がＵＶ吸収剤である、請求項１記載の組成物。
【請求項１２】
前記成分（ｂ）及び（ｃ）の総量が組成物の質量に基づき０．０１％ないし５％である、請求項１記載の組成物。
【請求項１３】
前記成分（ｂ）及び（ｃ）の総量が組成物の質量に基づき０．５％ないし２％である、請求項１記載の組成物。
【請求項１４】
前記成分（ｂ）：（ｃ）又は前記式（Ｉ）で表される化合物：式（ＩＩ）で表される化合物の割合がそれぞれ１０：１ないし１：１０である、請求項１記載の組成物。
【請求項１５】
前記成分（ｂ）：（ｃ）又は前記式（Ｉ）で表される化合物：式（ＩＩ）で表される化合物の割合がそれぞれ３：１ないし１：３である、請求項１記載の組成物。
【請求項１６】
光、酸素及び／又は熱による劣化に対するポリエーテルポリオール、ポリエステルポリオール又はポリウレタンのための安定剤としての請求項１で定義される成分（ｂ）及び（ｃ）の混合物の使用。
【請求項１７】
前記混合物が付加的に更なる添加剤及び／又は更なる安定剤を含む、請求項１６記載の混合物の使用。
【請求項１８】
光、酸素及び／又は熱による劣化に対してポリエーテルポリオール、ポリエステルポリオール又はポリウレタンを安定化する方法であって、前記物質に請求項１で定義された成分（ｂ）及び（ｃ）の混合物を配合することを含む方法。
【請求項１９】
前記混合物が付加的に更なる添加剤及び／又は更なる安定剤を含む、請求項１８記載の方法。
【発明の詳細な説明】
【技術分野】
【０００１】
本発明は、光誘導劣化の影響を受けやすいポリエーテルポリオール、ポリエステルポリオール又はポリウレタン、及び少なくとも２種の異なる光安定剤の混合物であって、該安定剤の一方は特定のＵＶ吸収剤及び／又はヒンダードアミン光安定剤である混合物を含む組成物に関する。
【背景技術】
【０００２】
特許文献１は、酸化防止剤、ＨＡＬＳ化合物、ＵＶ吸収剤及びリン化合物を含む安定剤ブレンドに関する。前記の安定剤ブレンドで安定化された熱可塑性ポリウレタンの初期黄色度はあまり良くない。
特許文献２は、ベンジリデン−ビス−マロネート、及びＵＶ吸収剤、ヒンダードアミン安定剤、立体障害性フェノール、有機ホスフィン、有機ホスフィット及び有機ホスホナイトから成る群から選択される少なくとも一種の化合物を含むポリマー基材のための安定剤混合物に関する。前記の安定剤混合物は、ポリマーの長期保管による露光の損傷作用に対するポリマー基材の保護を提供する。
特許文献３は、ポリウレタン中チヌビン３１２（登録商標：Ｔｉｎｕｖｉｎ）、チヌビン７７０（登録商標：Ｔｉｎｕｖｉｎ）及びキマソーブ８１（登録商標：Ｃｈｉｍａｓｓｏｒｂ）の混合物を開示する。
特許文献４は、チヌビン（登録商標：Ｔｉｎｕｖｉｎ）１４４、チヌビン（登録商標：Ｔｉｎｕｖｉｎ）７６５及びイルガノックス１０１０（登録商標：Ｉｒｇａｎｏｘ）を含むポリウレタン組成物を記載する。
特許文献５は、チヌビン１４４（登録商標：Ｔｉｎｕｖｉｎ）、チヌビン７６５（登録商標：Ｔｉｎｕｖｉｎ）及びユヴィヌル３０４０（登録商標：Ｕｖｉｎｕｌ）を含むポリウレタン組成物に関する。
【特許文献１】独国特許出願公開第１０１４８７０２号明細書
【特許文献２】国際公開第０３／０９５５４３号パンフレット
【特許文献３】欧州特許出願公開第０７１４９３１号明細書
【特許文献４】国際公開第２００４／０６８２１７号パンフレット
【特許文献５】国際公開第０３／０７８１４８号パンフレット
【発明の開示】
【発明が解決しようとする課題】
【０００３】
卓越した初期着色及び優れた耐光性を有する系を得るためにポリウレタン産業からの根強い需要がある。これは優れた色の安定性が要求される靴産業にとって、例えば熱可塑性ポリウレタン（ＴＰＵ）にとって特に重要である。さらに、特に芳香族イソシアネートに基づく非黄色化又は低黄色化ポリウレタンのホットメルト接着剤及びシリル化ポリウレタン（ＳＰＵＲ）シーラント及び人工皮革が必要とされている。
【課題を解決するための手段】
【０００４】
本発明に従うポリエーテルポリオール、ポリエステルポリオール又はポリウレタン組成物は、加工後の卓越した初期着色、優れた光安定性及びまた優れた耐ガス退色性を有する。
本発明は、
（ａ）ポリエーテルポリオール、ポリエステルポリオール又はポリウレタン、
（ｂ）下記の式（Ｉ）で表されるＵＶ吸収剤及び／又は下記の式（ＩＩ）で表されるヒンダードアミン光安定剤
【化１】
2008504422.tif 000003
（式中、Ｒ1及びＲ2は、互いに独立して炭素原子数１ないし４のアルキル基又は炭素原子数１ないし４のアルコキシ基を表す。）、及び
（ｃ）前記成分（Ｉ）及び（ＩＩ）のうち１つだけが存在する場合、少なくとも１種の更なるＵＶ吸収剤及び／又はヒンダードアミン光安定剤を含む組成物に関するものであって、但し、成分（ｃ）が下記の式（Ａ）ないし（Ｄ）
【化２】
2008504422.tif 000004
【化３】
2008504422.tif 000005
で表される化合物ではない。
【発明を実施するための最良の形態】
【０００５】
この定義から明らかなように、この発明の組成物は（ｉ）式（Ｉ）で表されるＵＶ吸収剤及び式（ＩＩ）で表されるヒンダードアミン；又は（ｉｉ）式（Ｉ）で表されるＵＶ吸収剤並びに式（Ｉ）及び（ＩＩ）とは異なるＵＶ吸収剤及び／又はヒンダードアミン；又は（ｉｉｉ）式（ＩＩ）で表されるヒンダードアミン並びに式（Ｉ）及び（ＩＩ）とは異なるＵＶ吸収剤及び／又はヒンダードアミンを含有する必要がある。勿論、（ｉ）の場合においても更なるＵＶ吸収剤及び／又はヒンダードアミンが存在し得る。
【０００６】
興味深いのは、成分（ｃ）として以下に定義されるような式ＨＡ−１ないしＨＡ−１１で表されるヒンダードアミン光安定剤又はＵＶ−１ないしＵＶ−８で表されるＵＶ吸収剤を含む本発明の組成物である。
特に興味深いのは、成分（ｃ）として式ＨＡ−１ないしＨＡ−１１で表されるヒンダードアミン光安定剤又はＵＶ−１ないしＵＶ−７で表されるＵＶ吸収剤を含む本発明の組成物である。
光安定剤（ｂ）及び／又は（ｃ）に加えて、本発明の組成物は好ましくは更なる添加剤を含有する。
【０００７】
更なる添加剤は例えば：
１．酸化防止剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状ノニルフェノール又は側鎖において分岐したノニルフェノール、例えば、２，６−ジノニル−４−メチルフェノール、２，４−ジメチル−６−（１'−メチ
ルウンデシ−１'−イル）−フェノール、２，４−ジメチル−６−（１'−メチルヘプタデシ−１'−イル）フェノール、２，４−ジメチル−６−（１'−メチルトリデシ−１'−イ
ル）フェノール及びそれらの混合物。
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール、２，４−ドデシルチオメチル−６−第三ブチルフェノール、２，４−ドデシルチオメチル−６−メチルフェノール。
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０００８】
１．４．トコフェロール、
例えば、α−トコフェロール、β−トコフェロール、γ−トコフェロール、δ−トコフェロール及びそれらの混合物（ビタミンＥ）。
１．５．ヒドロキシル化チオジフェニルエーテル、
例えば、２，２'−チオビス（６−第三ブチル−４−メチルフェノール）、２，２'−チオビス（４−オクチルフェノール）、４，４'−チオビス（６−第三ブチル−３−メチルフ
ェノール）、４，４'−チオビス（６−第三ブチル−２−メチルフェノール）、４，４'−チオビス（３，６−ジ−第二アミルフェノール）、４，４'−ビス（２，６−ジメチル−
４−ヒドロキシフェニル）ジスルフィド。
１．６．アルキリデンビスフェノール、
例えば、２，２'−メチレンビス（６−第三ブチル−４−メチルフェノール）、２，２'−メチレンビス（６−第三ブチル−４−エチルフェノール）、２，２'−メチレンビス［４
−メチル−６−（α−メチルシクロヘキシル）−フェノール］、２，２'−メチレンビス
（４−メチル−６−シクロヘキシルフェノール）、２，２'−メチレンビス（６−ノニル
−４−メチルフェノール）、２，２'−メチレンビス（４，６−ジ−第三ブチルフェノー
ル）、２，２'−エチリデンビス（４，６−ジ−第三ブチルフェノール）、２，２'−エチリデンビス（６−第三ブチル−４−イソブチルフェノール）、２，２'−メチレンビス［
６−（α−メチルベンジル）−４−ノニルフェノール］、２，２'−メチレンビス［６−
（α，α−ジメチルベンジル）−４−ノニルフェノール］、４，４'−メチレンビス（２
，６−ジ−第三ブチルフェノール）、４，４'−メチレンビス（６−第三ブチル−２−メ
チルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３'−第三ブチル−４'−ヒドロキシフェニル）ブチレート］、ビス（３−第三ブチル−４−ヒドロキシ−５−メチルフェニル）ジシクロペンタジエン、ビス［２−（３'−第三
ブチル−２'−ヒドロキシ−５'−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０００９】
１．７．Ｏ−、Ｎ−及びＳ−ベンジル化合物、
例えば、３，５，３'，５'−テトラ−第三ブチル−４，４'−ジヒドロキシジベンジルエ
ーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．ヒドロキシベンジル化マロネート、
例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００１０】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−
オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
１．１２．アシルアミノフェノール、
例えば、４−ヒドロキシラウラニリド、４−ヒドロキシステアラニリド、オクチル  Ｎ−（３，５−ジ−第三ブチル−４−ヒドロキシフェニル）カルバメート。
【００１１】
１．１３．β−（３,５−ジ−第三ブチル−４−ヒドロキシフェニル）プロピオン酸のエ
ステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−[３−（３−第三ブチル−４−ヒドロキシ−５−メチ
ルフェニル）プロピオニルオキシ]−１，１−ジメチルエチル］−２，４，８，１０−テ
トラオキサスピロ［５．５］ウンデカンとのエステル。
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペン
チルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデ
カノール、トリメチルヘキサンジオール、トリメチロールプロパン、４−ヒドロキシメチル−１−ホスファ−２，６，７−トリオキサビシクロ［２．２．２］オクタンとのエステル。
【００１２】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデ
カノール、トリメチルヘキサンジオール、トリメチロールプロパン、４−ヒドロキシメチル−１−ホスファ−２，６，７−トリオキサビシクロ［２．２．２］オクタンとのエステル。
１．１７．β−（３，５−ジ−第三ブチル−４−ヒドロキシフェニル）プロピオン酸のアミド、例えば、
Ｎ，Ｎ'−ビス（３，５−ジ−第三ブチル−４−ヒドロキシフェニルプロピオニル）ヘキ
サメチレンジアミド、Ｎ，Ｎ'−ビス（３，５−ジ−第三ブチル−４−ヒドロキシフェニ
ルプロピオニル）トリメチレンジアミド、Ｎ，Ｎ'−ビス（３，５−ジ−第三ブチル−４
−ヒドロキシフェニルプロピオニル）ヒドラジド、Ｎ，Ｎ'−ビス［２−（３−［３，５
−ジ−第三ブチル−４−ヒドロキシフェニル］プロピオニルオキシ）エチル］オキサミド（ユニロイヤル社製ナウガードＸＬ−１；登録商標：Ｎａｕｇａｒｄ）。
１．１８．アスコルビン酸（ビタミンＣ）。
【００１３】
１．１９．アミン型酸化防止剤、
例えば、Ｎ，Ｎ'−ジ−イソプロピル−ｐ−フェニレンジアミン、Ｎ，Ｎ'−ジ−第二ブチル−ｐ−フェニレンジアミン、Ｎ，Ｎ'−ビス（１，４−ジメチルペンチル）−ｐ−フェ
ニレンジアミン、Ｎ，Ｎ'−ビス（１−エチル−３−メチルペンチル）−ｐ−フェニレン
ジアミン、Ｎ，Ｎ'−ビス（１−メチルヘプチル）−ｐ−フェニレンジアミン、Ｎ，Ｎ'−ジシクロヘキシル−ｐ−フェニレンジアミン、Ｎ，Ｎ'−ジフェニル−ｐ−フェニレンジ
アミン、Ｎ，Ｎ'−ビス（２−ナフチル）−ｐ−フェニレンジアミン、Ｎ−イソプロピル
−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−
フェニレンジアミン、Ｎ−シクロヘキシル−Ｎ'−フェニル−ｐ−フェニレンジアミン、
４−（ｐ−トルエンスルファモイル）ジフェニルアミン、Ｎ，Ｎ'−ジメチル−Ｎ，Ｎ'−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ'−ジ−第三オクチルジフェニルアミン
、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン
、１，２−ビス［（２−メチルフェニル）アミノ］エタン、１，２−ビス（フェニルアミノ）プロパン、（ｏ−トリル）ビグアニド、ビス［４−（１'，３'−ジメチルブチル）フェニル］アミン、第三オクチル化Ｎ−フェニル−１−ナフチルアミン、モノ−及びジアル
キル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、ジノニルフェノチアジン、モノ−ノニルフェノチアジン、モノ−及びジアルキル化ノニルフェノチアジンの混合物、Ｎ，Ｎ，Ｎ'，Ｎ'−テトラフェニル−１，４−ジアミノブテ−２−エン、上述の置換されてない又は置換されたジフェニルアミンの一種と上述の置換されてない又は置換されたフェノチアジンの一種との混合物。
【００１４】
２．他のＵＶ吸収剤及び光安定剤
２．１．  ２−（２’−ヒドロキシフェニル）−ベンゾトリアゾール、例えば、２−（２’−ヒドロキシ−５’−メチルフェニル）−ベンゾトリアゾール、２−（３’，５’−ジ−第三ブチル−２’−ヒドロキシフェニル）−ベンゾトリアゾール、２−（５’−第三ブチル−２’−ヒドロキシフェニル）−ベンゾトリアゾール、２−（２’−ヒドロキシ−５’−１，１，３，３−テトラメチルブチル）−フェニル）−ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）−ベンゾトリアゾール、２−（２’−ヒドロキシ−４’−オクチルオキシフェニル）−ベンゾトリアゾール、２−（３’，５’−ジ−第三アミル−２’−ヒドロキシフェニル）−ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）−ベンゾトリアゾール、２−（３’−第三ブチル−２’−ヒドロキシ−５’−（２−オクチルオキシカルボニルエチル）フェニル）−ベンゾトリアゾール、２−（３’−第三ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）−ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；
【化４】
2008504422.tif 000006
（式中、Ｒ＝３’−第三ブチル−４’−ヒドロキシ−５’−２Ｈ−ベンゾトリアゾール−２−イルフェニル）、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
２．１ａ．４−ヒドロキシベンゾエート
例えば２，４−ジ−第三ブチルフェニル３，５−ジ−第三ブチル−４−ヒドロキシベンゾエート、３，５−ジ−第三ブチル−４−ヒドロキシベンゾエート。
【００１５】
２．２．  ２−ヒドロキシベンゾフェノン及びホルムアミジン、
例えば、４−ヒドロキシ、４−デシルオキシ、４−ドデシルオキシ、４−ベンジルオキシ、４，２'，４'−トリヒドロキシ及び２'−ヒドロキシ−４，４'−ジメトキシベンゾフェノン；Ｎ−アルキル−Ｎ，Ｎ’−ジアリールホルムアミジン、例えば、安息香酸、４−[[（メチルフェニルアミノ）メチレン]アミノ]エチルエステル[チヌビン１０１（登録商標
：Ｔｉｎｕｖｉｎ）、チバ  スペシャルティ  ケミカルズ  インコーポレーテッド]；安
息香酸、４−[[（エチルフェニルアミノ）メチレン]アミノ]エチルエステル；２−プロペン酸、３−（４−メトキシフェニル）−、２−エチルヘキシル[ユヴィヌル３０８８（登
録商標：Ｕｖｉｎｕｌ）、ＢＡＳＦ]；２−プロペン酸、２−シアノ−３，３−ジフェニ
ル−、エチルエステル[ユヴィヌル３０３５（登録商標：Ｕｖｉｎｕｌ）、ＢＡＳＦ]；又は２−プロペノン酸、２−シアノ３，３−ジフェニル−、２−エチルヘキシルエステル[
ユヴィヌル３０３９（登録商標：Ｕｖｉｎｕｌ）、ＢＡＳＦ]。
２．３．置換された及び置換されてない安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシ安息香酸エステル、ヘキサデシル３，５−ジ−第三ブチル−４−ヒドロキシ安息香酸エステル、オクタデシル３，５−ジ−第三ブチル−４−ヒドロキシ安息香酸エステル、２−メチル−４，６−ジ−第三ブチルフェニル３，５−ジ−第三ブチル−４−ヒドロキシ安息香酸エステル。
２．４．アクリレート、
例えば、α−シアノ−β，β−ジフェニルアクリレート又はイソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメート及びＮ−（β−カルボメトキシ−β−シアノビニル）−２−メチルインドリン。
２．５．ニッケル化合物、
例えば、ｎ−ブチルアミン、トリエタノールアミン又はＮ−シクロヘキシルジエタノールアミンのような追加の配位子を有する又は有しない１：１又は１：２錯体のような２，２'−チオビス［４−（１，１，３，３−テトラメチルブチル）フェノール］のニッケル錯
体、ニッケルジブチルジチオカルバメート、４−ヒドロキシ−３，５−ジ−第三ブチルベンジルホスホン酸モノアルキルエステルの例えばメチル又はエチルエステルのニッケル塩、２−ヒドロキシ−４−メチルフェニルウンデシルケトキシムのようなケトキシムのニッケル錯体、追加の配位子を有する又は有しない１−フェニル−４−ラウロイル−５−ヒドロキシピラゾールのニッケル錯体。
【００１６】
２．６．更なるヒンダードアミン光安定剤、
例えば、ビス（２，２，６，６−テトラメチル−４−ピペリジル）スクシネート、ビス（１−オクチルオキシ−２，２，６，６−テトラメチル−４−ピペリジル）セバケート、１−（２−ヒドロキシエチル）−２，２，６，６−テトラメチル−４−ヒドロキシピペリジンとコハク酸の縮合物、Ｎ，Ｎ'−ビス（２，２，６，６−テトラメチル−４−ピペリジ
ル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１'−（１，２−エ
タンジイル）ビス（３，３，５，５−テトラメチルピペラジノン）、４−ベンゾイル−２
，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ'−ビス（２，２，６，６−テトラメチル−４−ピペリジル
）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ'−ビス（２，２，６
，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン及び４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン及びまたＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホル
ミル−Ｎ，Ｎ'−ビス（２，２，６，６−テトラメチル−４−ピペリジル）ヘキサメチレ
ンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物  α−オレフィンコポリマーと２，２，６，６−テトラメチル−４−アミノピペリジン又は１，２，２，６，６−ペンタメチル−４−アミノピペリジンとの反応生成物；下記に定義されるようなＨＡ−６）。
【００１７】
２．７．オキサミド、
例えば、４，４'−ジオクチルオキシオキサニリド、２，２'−ジエトキシオキサニリド、２，２'−ジオクチルオキシ−５，５'−ジ−第三ブトキサニリド、２，２'−ジドデシル
オキシ−５，５'−ジ−第三ブトキサニリド、Ｎ，Ｎ'−ビス（３−ジメチルアミノプロピル）オキサミド、２−エトキシ−５−第三ブチル−２'−エトキサニリド及びその２−エ
トキシ−２'−エチル−５，４'−ジ−第三ブトキサニリドとの混合物、ｏ−及びｐ−メトキシ−二置換オキサリニドの混合物並びにｏ−及びｐ−エトキシ−二置換オキサニリドの混合物。
２．８．  ２−（２−ヒドロキシフェニル）−１，３，５−トリアジン、
例えば、 ２，４，６−トリス（２−ヒドロキシ−４−オクチルオキシフェニル）−１，
３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−[２−ヒドロキシ−
４−［３−（２−エチルヘキシロ−１−オキシ）−２−ヒドロキシプロピルオキシ］フェニル]−４，６−ビス（２，４−ジメチルフェニル）−１，３，５−トリアジン。
【００１８】
３．金属奪活剤、
例えば、Ｎ，Ｎ'−ジフェニルオキサミド、Ｎ−サリチラル−Ｎ'−サリチロイル−ヒドラジン、Ｎ，Ｎ'−ビス（サリチロイル）ヒドラジン、Ｎ，Ｎ'−ビス（３，５−ジ−第三ブチル−４−ヒドロキシフェニルプロピオニル）ヒドラジン、３−サリチロイルアミノ−１，２，４−トリアゾール、ビス（ベンジリデン）シュウ酸ジヒドラジド、オキサニリド、イソフタル酸ジヒドラジド、セバシン酸ビスフェニルヒドラジド、Ｎ，Ｎ'−ジアセチル
アジピン酸ジヒドラジド、Ｎ，Ｎ'−ビス（サリチロイル）シュウ酸ジヒドラジド、Ｎ，
Ｎ'−ビス（サリチロイル）チオプロピオン酸ジヒドラジド。
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジクミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４'−ビフェニレンジホスホナイト、６−イソオクチルオキシ−２，４，８，１０−
テトラ−第三ブチル−１２Ｈ−ジベンゾ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンゾ［ｄ，ｇ］−１，３，２−ジ
オキサホスホシン、２，２'，２"−ニトリロ［トリエチルトリス（３，３'，５，５'−テトラ−第三ブチル−１，１'−ビフェニル−２，２'−ジイル）−ホスフィット］、２−エチルヘキシル（３，３'，５，５'−テトラ−第三ブチル−１，１'−ビフェニル−２，２'−ジイル）ホスフィット、５−ブチル−５−エチル−２−（２，４，６−トリ−第三ブチルフェノキシ）−１，３，２−ジオキサホスフィラン。
【００１９】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミン由来のＮ，Ｎ−ジアルキルヒドロキシルアミン。
６．ニトロン、
例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されたＮ，Ｎ−ジアルキルヒドロキシルアミンから誘導されたニトロン。
７．チオ相乗剤、
例えば、チオジプロピオン酸ジラウリル又はチオジプロピオン酸ジステアリル。
【００２０】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
９．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモニーピロカテコレート又は亜鉛ピロカテコレート。
１０．充填剤及び強化剤、
例えば、炭酸カルシウム、シリケート、ガラス繊維、ガラス球、アスベスト、タルク、カオリン、マイカ、硫酸バリウム、金属酸化物及び水酸化物、カーボンブラック、グラファイト、木粉及び他の天然物の粉末又は繊維、合成繊維。
【００２１】
１１．他の添加剤
例えば、可塑剤、滑剤、乳化剤、顔料、レオロジー添加剤、触媒、流れ調整剤、蛍光増白剤、防炎加工剤、帯電防止剤及び発泡剤。
１２．ベンゾフラノン及びインドリノン、
例えば、米国特許第４，３２５，８６３号明細書；米国特許第４，３３８，２４４号明細書；米国特許第５，１７５，３１２号明細書、米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２
号明細書もしくは欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３'−ビス［５，７−ジ−第三ブチル−３−
（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン又は３−（２−アセチル−５−イソオクチルフェニル）−５−イソオクチルベンゾフラノ−２−オン。
１３．耐ガス退色剤
１，１，１’，１’−テトラメチル−４，４’−（メチレン−ジ−ｐ−フェニレン）ジセミカルバジド；１，６−ヘキサメチレンビス（Ｎ，Ｎ−ジメチルセミカルバジド）；１１−[６−[[（２，２−ジメチルヒドラジノ）カルボニル]アミノ]ヘキシル]−１０，１２−ジオキソ−、ビス（２，２−ジメチルヒドラジド）。
【００２２】
更なる添加剤は、例えばこの発明の組成物の総質量に対して０．０１ないし１０％の濃度で加えられる。
好ましくは、前記更なる安定剤は酸化防止剤、更なる光安定剤及び／又は加工安定剤である。
より好ましくは、前記更なる添加剤がフェノール系及び／又はアミン系酸化防止剤、更なるヒンダードアミン光安定剤、更なるＵＶ吸収剤、ホスフィット、ホスホナイト及び／又はベンゾフラノンである。
際立って興味深いのは、更なる安定剤が更なるヒンダードアミン光安定剤、更なるＵＶ吸収剤、フェノール系酸化防止剤及び／又はホスフィットである組成物である。
興味深いのはまた、成分（ｂ）が式（Ｉ）で表されるＵＶ吸収剤と式（ＩＩ）で表されるヒンダードアミン光安定剤の組み合わせである前記組成物である。
好ましいのは、式（Ｉ）で表されるＵＶ吸収剤が式（Ｉａ）で表される化合物である組成物である。
【化５】
2008504422.tif 000007
本発明の一態様は、成分（ｂ）が式（Ｉ）で表されるＵＶ吸収剤であり、及び成分（ｃ）がヒンダードアミン光吸収剤である組成物である。
別の本発明の態様は、成分（ｂ）が式（ＩＩ）で表されるヒンダードアミン光安定剤であり、及び成分（ｃ）がＵＶ吸収剤である組成物である。
興味深いのは、成分（ｂ）及び（ｃ）の総量が組成物の質量に基づき０．０１％ないし５％である組成物である。
特に興味深いのは、成分（ｂ）及び（ｃ）の総量が組成物の質量に基づき０．５％ないし２％である組成物である。
好ましいのは、成分（ｂ）：（ｃ）又は式（Ｉ）で表される化合物：（ＩＩ）で表される化合物の割合がそれぞれ１０：１ないし１：１０である組成物である。
最も好ましいのは、成分（ｂ）：（ｃ）又は式（Ｉ）で表される化合物：（ＩＩ）で表
される化合物の割合がそれぞれ３：１ないし１：３である組成物である。
好ましいのは、本発明に従う組成物はベンジリデン−ビス−マロネートを含有しない。前記ベンジリデン−ビス−マロネートは国際公開第０３／０９５５４３号パンフレットで開示される。
【００２３】
本発明はまた、光、酸素及び／又は熱による劣化に対するポリエーテルポリオール、ポリエステルポリオール又はポリウレタンのための安定剤としてここで定義されるような成分（ｂ）及び（ｃ）の混合物の使用に関する。
好ましいのは、付加的に更なる添加剤及び／又は安定剤を含む前記混合物の使用である。更なる添加剤及び／又は安定剤はここで定義されるようなものであり得る。
本発明はまた、光、酸素及び／又は熱による劣化に対してポリエーテルポリオール、ポリエステルポリオール又はポリウレタンを安定化するための方法であって、前記物質にここで定義た成分（ｂ）及び（ｃ）の混合物を添合することを含む方法にも関する。
好ましいのは、光、酸素及び／又は熱による劣化に対してポリエーテルポリオール、ポリエステルポリオール又はポリウレタンを安定化するための方法であって、ここで定義された成分（ｂ）及び（ｃ）を含み及び付加的に更なる添加剤及び／又は安定剤を含む混合物を前記物質に配合することを含む方法である。更なる添加剤及び／又は安定剤はここで定義され得る。
【００２４】
ヒンダードアミン光安定剤は、好ましくは式（ＩＩＩ）
【化６】
2008504422.tif 000008
（式中、Ｇ1及びＧ2は独立して１ないし４個の炭素原子のアルキル基を表し、又はＧ1及
びＧ2は一緒になってペンタメチレン基を表し；好ましくはＧ1及びＧ2は各々メチル基を
表す。）で表される少なくとも１つの基を含有する化合物である。
【化７】
2008504422.tif 000009
は化学基の境界を指定し、またそれ自体による化学的意味を有しない。
成分（ｃ）として有用なヒンダードアミン光安定剤は、上記の２．６．で言及されたもの、及び参照することによりここに組み込まれる国際公開第０１／６２８３６号パンフレット、国際公開第０２／０２７０６号パンフレット及び独国特許第１０００８３６７号明細書で開示されたものであり得る。
【００２５】
好ましいヒンダードアミン光安定剤は、式（１００）ないし（１０４）で表される化合物又は７−オキサ−３，２０−ジアザスピロ[５．１．１１．２]ヘンエイコサノ−２１−オン、２，２，４，４−テトラメチル−２０−（オキシラニルメチル）−，（クロロメチル）オキシランとのポリマー；
【化８】
2008504422.tif 000010
【化９】
2008504422.tif 000011
[式中、
Ｅは水素原子、炭素原子数１ないし１８のアルキル基、炭素原子数１ないし１８のアルコキシ基又は１個のＯＨによって置換された炭素原子数１ないし１８のアルコキシ基を表し；
ｎ1は１又は２を表し；
ｎ1が１を表す場合、Ｒ3は炭素原子数１ないし２５のアルキル基又は−ＣＯ−Ｒ10を表し；
ｎ1が２を表す場合、Ｒ3は炭素原子数２ないし１４のアルケニル基又は−ＣＯ−Ｒ11−ＣＯ−を表し；
Ｒ10は炭素原子数１ないし２５のアルキル基を表し；
Ｒ11は炭素原子数２ないし１４のアルキレン基を表し；
ｎ2は２ないし４を表し；
ｎ3は１ないし３を表し、
Ｒ5は水素原子又は炭素原子数１ないし１２のアルキル基を表し；
Ｒ4は基Ｔ1を表し、
Ｔ1は
【化１０】
2008504422.tif 000012
を表し、
ｎ4は２ないし８を表し、
ｎ5は１ないし５０を表し；
Ｒ6はモルホリノ基、ピペリジノ基、１−ピペリジニル基、１ないし８個の炭素原子のア
ルキルアミノ基、特に第三オクチルアミノ基のような３ないし８個の炭素原子の枝分かれしたアルキルアミノ基、１ないし８個の炭素原子のアルキル基を有する−Ｎ（アルキル）Ｔ2、又は２ないし１６個の炭素原子の−Ｎ（アルキル）2を表し、
Ｔ2は
【化１１】
2008504422.tif 000013
を表し、
Ｒ7は水素原子、２ないし４個の炭素原子のアシル基、１ないし４個の炭素原子のアルキ
ル基によって置換されたカルバモイル基、塩素原子によって１回及びＲ6によって１回置
換されたｓ−トリアジニル基、又は２個のＲ6置換基が異なり得る条件でＲ6によって２回置換されたｓ−トリアジニル基を表し；
Ｒ8は塩素原子、１個ないし８個の炭素原子のアルキル基によって又はＴ2によって置換されたアミノ基、１ないし８個の炭素原子のアルキル基を有する−Ｎ（アルキル）Ｔ2、２
ないし１６個の炭素原子の−Ｎ（アルキル）2、又は基Ｔ3を表し、
Ｔ3は
【化１２】
2008504422.tif 000014
を表し、
Ｒ12は水素原子、２ないし４個の炭素原子のアシル基、１ないし４個の炭素原子のアルキル基によって置換されたカルバモイル基、２ないし１６個の炭素原子の−Ｎ（アルキル）2によって２回置換されたｓ−トリアジニル又は１個ないし８個の炭素原子のアルキルを
有する−Ｎ（アルキル）Ｔ2によって２回置換されたｓ−トリアジニル基を表し；
Ａ1は水素原子又は炭素原子数１ないし４のアルキル基を表し、
Ａ2は直接結合又は炭素原子数１ないし１０のアルキレン基を表し、
Ａ3は炭素原子数１ないし４のアルキル基又は炭素原子数１ないし４のアルコキシ基を表
し及び
ｎ6は２ないし５０、好ましくは２ないし２０の数を表し、
ｎ8は２ないし１２を表す。）である。
【００２６】
成分（ｃ）として特に興味深いのは、ヒドロキシフェニル−トリアジン、ベンゾトリアゾール、ベンゾフェノン、オキサニリド、アクリレート及びシアンアクリレート類のＵＶ吸収剤である。
ヒドロキシフェニルトリアジンＵＶ吸収剤は、通常例えば英国特許出願公開第９７５９６６号明細書、欧州特許出願公開第４３４６０８号明細書、米国特許第４６１９９５６号明細書、米国特許第５２９８０６７号明細書、欧州特許出願公開第５３０１３５号明細書、欧州特許出願公開第５２０９３８号明細書、欧州特許出願公開第５３１２５８号明細書、米国特許第５５５６９７３号明細書、米国特許第５９５９００８号明細書、米国特許第６１８４３７５号明細書、米国特許第６１１７９９７号明細書において記載される既知の化合物から選択され；好ましいのは米国特許第５９９８１１６号明細書、米国特許第６２５５４８３号明細書、米国特許第６０６０５４３号明細書において記載されるような化合
物である。
【００２７】
ヒドロキシフェニルトリアジンＵＶ吸収剤に対する例は、式（２００）、（２０１）又は（２０２）に従う化合物である。
【化１３】
2008504422.tif 000015
[式中、Ｘ及びＹは独立してフェニル基、ナフチル基、又は１ないし６個の炭素原子のア
ルキル基１ないし３個によって、ハロゲン原子によって、ヒドロキシ基によって又は１ないし６個の炭素原子のアルコキシ基によって又はそれらの混合物によって置換された前記フェニル基又は前記ナフチル基を表し；又は独立してＺ1又はＺ2を表し；
Ｒ13は水素原子、１ないし２４個の炭素原子の直鎖又は枝分かれ鎖のアルキル基、５ないし１２個の炭素原子のシクロアルキル基、７ないし１５個の炭素原子のフェニルアルキル基、ハロゲン原子、−ＳＲ17、−ＳＯＲ17又は−ＳＯ2Ｒ17；又は１ないし３個のハロゲ
ン原子、−R18、−ＯＲ19、−Ｎ（Ｒ19）2、−ＣＯＲ19、−ＣＯＯＲ19、−ＯＣＯＲ19、−ＣＮ、−ＮＯ2、−ＳＲ19、−ＳＯＲ19、−ＳＯ2Ｒ19又は−Ｐ（Ｏ）（ＯＲ19）2、モ
ルホリニル基、ピペリジニル基、２，２，６，６−テトラメチルピペリジニル基、ピペラジニル基又はＮ−メチルピペリジニル基又はそれらの組み合わせによって置換された前記アルキル基、前記シクロアルキル基又は前記フェニルアルキル基；又は１ないし４個のフェニレン基、−Ｏ−、−ＮＲ19−、−ＣＯＮＲ19−、−ＣＯＯ−、−ＯＣＯ−又は−ＣＯ基又はそれらの組み合わせによって中断された前記アルキル基又は前記シクロアルキル基；又は上述された基の組み合わせによって置換され及び中断された前記アルキル基又は前記シクロアルキル基を表し；
Ｒ17は、１ないし２０個の炭素原子のアルキル基、３ないし１８個の炭素原子のアルケニル基、５ないし１２個の炭素原子のシクロアルキル基、７ないし１５個の炭素原子のフェニルアルキル基、６ないし１０個の炭素原子のアリール基又は１ないし４個の炭素原子のアルキル基１個又は２個によって置換された前記アリール基を表し；
Ｒ18は、６ないし１０個の炭素原子のアリール基又は１ないし３個のハロゲン原子、１ないし８個の炭素原子のアルキル基、１個ないし８個の炭素原子のアルコキシ基又はそれらの組み合わせによって置換された前記アリール基；５ないし１２個の炭素原子のシクロアルキル基；７ないし１５個の炭素原子のフェニルアルキル基又は１ないし３個のハロゲン原子、１ないし８個の炭素原子のアルキル基、１個ないし８個の炭素原子のアルコキシ基又はそれらの組み合わせによってフェニル環上で置換された前記フェニルアルキル基；又は２ないし１８個の炭素原子の直鎖又は枝分かれ鎖のアルケニル基を表し、
Ｒ19はＲ18のように定義され；又はＲ19はまた水素原子又は１ないし２４個の炭素原子の直鎖又は枝分かれ鎖のアルキル基、２ないし２４個の炭素原子のアルケニル基；又はＲ19式
【化１４】
2008504422.tif 000016
（Ｔは水素原子、オキシル基、ヒドロキシル基、−ＯＴ4、１ないし２４個の炭素原子の
アルキル基、１ないし３個のヒドロキシ基によって置換された前記アルキル基；２ないし１８個の炭素原子のベンジル基又はアルカノイル基を表す。）のための基を表し、
Ｔ4は、１ないし２４個の炭素原子のアルキル基、５ないし１２個の炭素原子のシクロア
ルキル基、２ないし２４個の炭素原子のアルケニル基、５ないし１２個の炭素原子のシクロアルケニル基、７ないし１５個の炭素原子のフェニルアルキル基、７ないし１２個の炭素原子の置換された又は置換されてない二環式又は三環式の炭化水素基又は６個ないし１０個の炭素原子のアリール基又は１ないし４個の炭素原子のアルキル基１ないし３個によって置換された前記アリール基を表し；
Ｒ14は、水素原子、直鎖又は枝分かれ鎖の１ないし２４個の炭素原子のアルキル基又は５ないし１２個の炭素原子のシクロアルキル基又はＲ20を表し；又は１ないし４個のハロゲン原子、ヒドロキシ基、エポキシ基、グリシジルオキシ基、フリルオキシ基、−Ｒ18、−ＯＲ19、−Ｎ（Ｒ19）2、−ＣＯＮ（Ｒ19）2、−ＣＯＲ19、−ＣＯＯＲ19、−ＯＣＯＲ19、−ＯＣＯＣ（Ｒ19）＝Ｃ（Ｒ19）2、−Ｃ（Ｒ19）＝ＣＣＯＯＲ19、−ＣＮ、−ＮＣＯ
、もしくは
【化１５】
2008504422.tif 000017
又はそれらの組み合わせによって置換された前記アルキル基又は前記シクロアルキル基；又は１ないし４個のエポキシ基、−Ｏ−、−ＮＲ19−、−ＣＯＮＲ19−、−ＣＯＯ−、−ＯＣＯ−、−ＣＯ−、−Ｃ（Ｒ19）＝Ｃ（Ｒ19）ＣＯＯ−、−ＯＣＯＣ（Ｒ19）＝Ｃ（Ｒ19）−、−Ｃ（Ｒ19）＝Ｃ（Ｒ19）−、フェニレン基もしくはＧが−Ｏ−、−Ｓ−、−ＳＯ2−、−ＣＨ2−又は−Ｃ（ＣＨ3）2−を表すフェニレン−Ｇ−フェニレン基又はそれらの組み合わせによって中断された前記アルキル基又は前記シクロアルキル基、又は上述された基の組み合わせによって置換され及び中断された前記アルキル基又は前記シクロアルキル基を表し；又はＲ14は−ＳＯ2Ｒ17又は−ＣＯＲ21を表し；
Ｒ21は１ないし１８個の炭素原子の直鎖又は枝分かれ鎖のアルキル基、２ないし１２個の炭素原子の直鎖又は枝分かれ鎖のアルケニル基、フェノキシ基、１ないし１２個の炭素原子のアルキルアミノ基、６ないし１２個の炭素原子のアリールアミノ基、−Ｒ22ＣＯＯＨ又は−ＮＨ−Ｒ23−ＮＣＯ−を表し；
Ｒ22は２ないし１４個の炭素原子のアルキレン基又はフェニレン基を表し；
Ｒ23は２ないし２４個の炭素原子のアルキレン基、フェニレン基、トリレン基、ジフェニルメタン基又は基
【化１６】
2008504422.tif 000018
を表し、
Ｒ13、Ｒ15及びＲ13”は、同一又は異なり、またＲ13に対し定義される通りであり；
Ｒ14、Ｒ16及びＲ14”は、同一又は異なり、またＲ14に対し定義される通りであり；
Ｚ1は式
【化１７】
2008504422.tif 000019
で表される基を表し、
Ｚ2は式
【化１８】
2008504422.tif 000020
（式中、ｒ13及びｒ14は互いに独立して０又は１を表す）で表される基を表し；
Ｒ20、Ｒ24、Ｒ25、Ｒ26、Ｒ27、Ｒ28、Ｒ29、Ｒ30、Ｒ31及びＲ32は、互いに独立して水素原子、ヒドロキシ基、シアノ基、１ないし２０個の炭素原子のアルキル基、１ないし２０個の炭素原子のアルコキシ基、７ないし１５個の炭素原子のフェニルアルキル基、５ないし１２個の炭素原子のシクロアルキル基、５ないし１２個の炭素原子のシクロアルコキシ基、ハロゲン原子、１ないし５個の炭素原子のハロアルキル基、スルホ基、カルボキシ基、２ないし１２個の炭素原子のアシルアミノ基、２ないし１２個の炭素原子のアシルオキシ基、２ないし１２個の炭素原子のアルコキシカルボニル基又はアミノカルボニル基を表し；又はＲ26及びＲ27又はＲ31及びＲ32は、それらが結合するフェニル基と一緒になって１ないし３個の−O−又は−ＮＲ19−によって中断された環式の基を表す。]。
【００２８】
ヒドロキシフェニルトリアジンの例は、化合物（ａ１）ないし（ａ１９）
ａ１）２，４，６−トリス（２−ヒドロキシ−４−オクチルオキシフェニル）−１，３，５−トリアジン、
ａ２）２−（２−ヒドロキシ−４−オクチルオキシフェニル）−４，６−ビス（２，４−ジメチルフェニル）−１，３，５−トリアジン、
ａ３）２−（２，４−ジヒドロキシフェニル）−４，６−ビス（２，４−ジメチルフェニル）−１，３，５−トリアジン、
ａ４）２，４−ビス（２−ヒドロキシ−４−プロピルオキシフェニル）−６−（２，４−ジメチルフェニル）−１，３，５−トリアジン、
ａ５）２−（２−ヒドロキシ−４−オクチルオキシフェニル）−４，６−ビス（４−メチルフェニル）−１，３，５−トリアジン、
ａ６）２−（２−ヒドロキシ−４−ドデシルオキシフェニル）−４，６−ビス（２，４−ジメチルフェニル）−１，３，５−トリアジン、
ａ７）２−（２−ヒドロキシ−４−トリデシルオキシフェニル）−４，６−ビス（２，４−ジメチルフェニル）−１，３，５−トリアジン、
ａ８）２−[２−ヒドロキシ−４−（２−ヒドロキシ−３−ブチルオキシプロポキシ）フ
ェニル]−４，６−ビス（２，４−ジメチルフェニル）−１，３，５−トリアジン、
ａ９）２−[２−ヒドロキシ−４−（２−ヒドロキシ−３−オクチルオキシプロピルオキ
シ）フェニル]−４，６−ビス（２，４−ジメチルフェニル）−１，３，５−トリアジン
、
ａ１０）２−（２−ヒドロキシ−４−[２−エチルヘキシル]オキシフェニル）−４，６−ジ（４−フェニルフェニル）−１，３，５−トリアジン、
ａ１１）２−（２−ヒドロキシ−４−[２−ヘプチルカルボニルオキシエトキシ]フェニル）−４，６−ジフェニル−１，３，５−トリアジン、
ａ１２）２−（２，４−ジヒドロキシフェニル）−４，６−ジフェニル−１，３，５−トリアジン、
ａ１３）２−[４−（ドデシルオキシ／トリデシルオキシ−２−ヒドロキシプロポキシ）
−２−ヒドロキシフェニル]−４，６−ビス（２，４−ジメチルフェニル）１，３，５−
トリアジン、
ａ１４）２−[２−ヒドロキシ−４−（２−ヒドロキシ−３−ドデシルオキシプロポキシ
）フェニル]−４，６−ビス（２，４−ジメチルフェニル）−１，３，５−トリアジン、
ａ１５）２−（２−ヒドロキシ−４−ヘキシルオキシ）フェニル−４，６−ジフェニル−１，３，５−トリアジン、
ａ１６）２−（２−ヒドロキシ−４−メトキシフェニル）−４，６−ジフェニル−１，３，５−トリアジン、
ａ１７）２，４，６−トリス[２−ヒドロキシ−４−（３−ブトキシ−２−ヒドロキシプ
ロポキシ）フェニル]−１，３，５−トリアジン、
ａ１８）２−（２−ヒドロキシフェニル）−４−（４−メトキシフェニル）−６−フェニル−１，３，５−トリアジン、
ａ１９）２−[２−ヒドロキシ−４−[３−（２−エチルヘキシル−１−オキシ）−２−ヒドロキシプロピルオキシ]フェニル]−４，６−ビス（２，４−ジメチルフェニル）−１，３，５−トリアジンである。
【００２９】
ベンゾトリアゾール類のＵＶ吸収剤の例は、式（２０６）及び／又は（２０７）
【化１９】
2008504422.tif 000021
（式中、Ｒ33は水素原子、ハロゲン原子、炭素原子数１ないし４のアルキル基又は炭素原子数１ないし８のアルコキシ基を表し；
Ｒ34は水素原子、炭素原子数１ないし１８のアルキル基又はフェニル基によって置換された炭素原子数１ないし８のアルキル基を表し；
Ｒ35は炭素原子数１ないし１２のアルキル基、−ＣＨ2ＣＨ2−ＣＯ−Ｒ37又はフェニル基によって置換された炭素原子数１ないし８のアルキル基を表し；
Ｒ37は一価の酸化ポリエチレン残基を表し；
Ｒ36は二価の酸化ポリエチレン残基を表す。）で表される化合物であり、
ベンゾトリアゾールの例は、化合物（ｂ１）ないし（ｂ２３）
ｂ１）２−（２’−ヒドロキシ−５’−メチルフェニル）ベンゾトリアゾール、
ｂ２）２−（３’，５’−ジ−第三ブチル−２’−ヒドロキシフェニル）ベンゾトリアゾール、
ｂ３）２−（５’−第三ブチル−２’−ヒドロキシフェニル）ベンゾトリアゾール、
ｂ４）２−（２’−ヒドロキシ−５’−（１，１，３，３−テトラメチルブチル）フェニル）ベンゾトリアゾール、
ｂ５）２−（３’，５’−ジ−第三ブチル−２’−ヒドロキシフェニル）−５−クロロベンゾトリアゾール、
ｂ６）２−（３’−第三ブチル−２’−ヒドロキシ−５’−メチルフェニル）−５−クロロベンゾトリアゾール、
ｂ７）２−（３’−第二ブチル−５’−第三ブチル−２’−ヒドロキシフェニル）ベンゾトリアゾール、
ｂ８）２−（２’−ヒドロキシ−４’−オクチルオキシフェニル）ベンゾトリアゾール、ｂ９）２−（３’，５’−ジ−第三アミル−２’−ヒドロキシフェニル）ベンゾトリアゾール、
ｂ１０）２−（３’，５’−ビス（α，α−ジメチルベンジル）−２’−ヒドロキシフェニル）ベンゾトリアゾール、
ｂ１１）２−（３’−第三ブチル−２’−ヒドロキシ−５’−（２−オクチルオキシカルボニルエチル）フェニル）−５−クロロベンゾトリアゾール、
ｂ１２）２−（３’−第三ブチル−５’−[２−（２−エチルヘキシルオキシ）カルボニ
ルエチル]−２’−ヒドロキシフェニル）−５−クロロベンゾトリアゾール、
ｂ１３）２−（３’−第三ブチル−２’−ヒドロキシ−５’−（２−メトキシカルボニルエチル）フェニル）−５−クロロベンゾトリアゾール、
ｂ１４）２−（３’−第三ブチル−２’−ヒドロキシ−５’−（２−メトキシカルボニルエチル）フェニル）ベンゾトリアゾール、
ｂ１５）２−（３’−第三ブチル−２’−ヒドロキシ−５’−（２−オクチルオキシカルボニルエチル）フェニル）ベンゾトリアゾール、
ｂ１６）２−（３’−第三ブチル−５’−[２−（２−エチルヘキシルオキシ）カルボニ
ルエチル]−２’−ヒドロキシフェニル）ベンゾトリアゾール、
ｂ１７）２−（３’−ドデシル−２’−ヒドロキシ−５’−メチルフェニル）ベンゾトリアゾール、
ｂ１８）２−（３’−第三ブチル−２’−ヒドロキシ−５’−（２−イソオクチルオキシカルボニルエチル）フェニルベンゾトリアゾール、
ｂ１９）２，２’−メチレンビス[４−（１，１，３，３−テトラメチルブチル）−６−
ベンゾトリアゾール−２−イルフェノール]、
ｂ２０）２−[３’−第三ブチル−５’−（２−メトキシカルボニルエチル）−２’−ヒ
ドロキシフェニル]−２Ｈ−ベンゾトリアゾールとポリエチレングリコール３００とのエ
ステル交換生成物、
ｂ２１）
【化２０】
2008504422.tif 000022
（ここで、Ｒ＝３’−第三ブチル−４’−ヒドロキシ−５’−２Ｈ−ベンゾトリアゾリ−２−イルフェニル）、
ｂ２２）２−[２’−ヒドロキシ−３’−（α，α−ジメチルベンジル）−５’−（１，
１，３，３−テトラメチルブチル）フェニル]ベンゾトリアゾール、
ｂ２３）２−[２’−ヒドロキシ−３’−（１，１，３，３−テトラメチルブチル）−５
’−（α，α−ジメチルベンジル）フェニル]ベンゾトリアゾールである。
フェノール系酸化防止剤は、式（３００）、（３０１）又は（３０２）
【化２１】
2008504422.tif 000023
（式中、Ｒ38及びＲ39は独立して炭素原子数１ないし８のアルキル基を表し、Ｒ47は炭素原子数１ないし１８のアルキル基を表す。）で表される化合物であり得；又はフェノール系酸化防止剤は上記で与えられた安定剤のリストにおいて１．１−１．１７項で記載される化合物のいずれかであり得る。
ホスフィットは式（４００）又は（４０１）
【化２２】
2008504422.tif 000024
（式中、Ｒ40、Ｒ41、Ｒ42及びＲ43は独立して炭素原子数１ないし８のアルキル基を表し；又はＲ40及びＲ42は独立して水素原子であり得；
Ｒ44、Ｒ45及びＲ46は独立して水素原子又は炭素原子数１ないし８のアルキル基を表す。）；
で表される化合物であり得；
又はホスフィットは上記で与えられた安定剤のリストにおいて４項で記載されるいずれのホスフィット化合物でもあり得る。
【００３０】
用語アルキル基は、与えられた炭素原子数の範囲内で、例えばメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、２−メチルヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基又はドデシル基を含み得る。
本発明の明細書の中で、用語アルキレン基は与えられた炭素原子数の範囲内で、例えばメチレン基並びにエチレン基、プロピレン基、ブチレン基、ペンチレン基、ヘキシレン基、へプチレン基、オクチレン基、ノニレン基、デシレン基、ウンデシレン基、ドデシレン基、トリデシレン基及びテトラデシレン基の枝分かれした及び枝分かれしてない異性体を含む。
用語アルコキシ基は、与えられた炭素原子数の範囲内で、例えばメトキシ基並びにエトキシ基並びにプロポキシ基、ブトキシ基、ペントキシ基、ヘキソキシ基、ヘプトキシ基、オクトキシ基、ノノキシ基、デコキシ基、ウンデコキシ基、ドデコキシ基、トリデコキシ基、テトラデコキシ、ペンタデコキシ基、ヘキサデコキシ基、ヘプタデコキシ基及びオクタデコキシ基の枝分かれした及び枝分かれしてない異性体を含み得る。
用語ハロゲン原子は、例えば塩素原子、臭素原子及びヨウ素原子を含む。
用語アリール基は、例えばフェニル基及びナフチル基を含む。
アルケニル基の例は、ビニル基、アリル基、ブテニル基、ペンテニル基、ヘキセニル基、ヘプテニル基、オクテニル基、ノネニル基、デセニル基、ウンデセニル基及びドデセニル基である。
【００３１】
特に興味深いのは、下記のヒンダードアミン光安定剤であり：
【化２３】
2008504422.tif 000025
ｎ7は２ないし５０、好ましくは２ないし２０を表し、特に好ましいのは商業用の製品チ
ヌビン６２２（登録商標：ＴＩＮＵＶＩＮ）である。
【化２４】
2008504422.tif 000026
この化合物は、米国特許第４４７７６１５号明細書において記載され；ｎ8は２ないし１
２を表し；特に好ましいのは商業用の製品ユヴァソルブＨＡ−８８（登録商標：ＵＶＡＳＯＲＢ）である。
【００３２】
【化２５】
2008504422.tif 000027
ｎ9は２ないし５０、好ましくは２ないし２０を表し、末端基は好ましくは
【化２６】
2008504422.tif 000028
であり；
特に好ましいのは商業用の製品サイアソーブＵＶ−３５２９（登録商標：ＣＹＡＳＯＲＢ）である。
【化２７】
2008504422.tif 000029
ｎ10は２ないし５０、好ましくは２ないし２０を表し、末端基は好ましくは
【化２８】
2008504422.tif 000030
であり；
特に好ましいのは商業用の製品サイアソーブＵＶ−３３４６（登録商標：ＣＹＡＳＯＲＢ）である。
【００３３】
【化２９】
2008504422.tif 000031
ｎ11は２ないし５０、好ましくは２ないし２０を表し、好ましくは末端基は
【化３０】
2008504422.tif 000032
であり；
特に好ましいのは商業用の製品キマソーブ９４４（登録商標：ＣＨＩＭＡＳＳＯＲＢ）である。
【化３１】
2008504422.tif 000033
ｎ12は２ないし５０、好ましくは２ないし２０を表し、末端基は好ましくは
【化３２】
2008504422.tif 000034
を有し；
特に好ましいのは商業用の製品キマソーブ２０２０（登録商標：ＣＨＩＭＡＳＳＯＲＢ）である。
【化３３】
2008504422.tif 000035
ｎ14は２ないし５０、好ましくは２ないし２０を表し、末端基は好ましくは
【００３４】
【化３４】
2008504422.tif 000036
であり；
特に好ましいのは商業用の製品チヌビンＮＯＲ３７１（登録商標：Ｔｉｎｕｖｉｎ）である。
ＨＡ−１１）７−オキサ−３，２０−ジアザジスピロ[５．１．１１．２]ヘンエイコサノ−２１−オン，２，２，４，４−テトラメチル−２０−（オキシラニルメチル）−と（クロロメチル）オキシランとのポリマー（別名：エピクロロヒドリン−２，２，４，４−テトラメチル−７−オキサ−３，２０−ジアザ−２０−（２，３−エポキシプロピル）ジスピロ[５．１．１１．２]ヘンエイコサノ−２１−オンコポリマー）例えば
【化３５】
2008504422.tif 000037
ｎ15は２ないし５０、例えば２ないし２５を表し；窒素原子に結合する末端基は例えば水素原子であり得、及び２−ヒドロキシプロピレン基に結合する末端基は例えば
【化３６】
2008504422.tif 000038
であり得；特に好ましいのは商業用の製品ホスタビンＮ３０（登録商標：Ｈｏｓｔａｖｉｎ）である。
【００３５】
興味深いのは下記のＵＶ吸収剤であり：
【化３７】
2008504422.tif 000039
【化３８】
2008504422.tif 000040
ｎ13は２ないし２０、例えば３ないし１０を表し；好ましくは、この化合物はポリエチレングリコールとモノ−及びジエステルの混合物であり；特に好ましいのは商業用の製品チヌビン２１３（登録商標：ＴＩＮＵＶＩＮ）である。
【化３９】
2008504422.tif 000041
特に興味深いのはＵＶ吸収剤ＵＶ−１ないしＵＶ−７である。
【００３６】
好ましくは、フェノール系酸化防止剤は
【化４０】
2008504422.tif 000042
である。
【００３７】
好ましくは、ホスフィットは
【化４１】
2008504422.tif 000043
である。
ここに述べられた添加剤及び安定剤は大部分が商業上入手可能である。
【００３８】
本発明の好ましい態様は、商業上入手可能な添加剤の下記のブレンドのうち１つを含むポリエーテルポリオール、ポリエステルポリオール又はポリウレタンである：
チヌビン２３４（登録商標：Ｔｉｎｕｖｉｎ）／チヌビン１４４（登録商標：Ｔｉｎｕｖｉｎ）；
チヌビン１０１（登録商標：Ｔｉｎｕｖｉｎ）／チヌビン１４４（登録商標：Ｔｉｎｕｖｉｎ）；
チヌビン３１２（登録商標：Ｔｉｎｕｖｉｎ）／チヌビン１４４（登録商標：Ｔｉｎｕｖｉｎ）；
チヌビン１２０（登録商標：Ｔｉｎｕｖｉｎ）／チヌビン１４４（登録商標：Ｔｉｎｕｖｉｎ）；
チヌビン３１２（登録商標：Ｔｉｎｕｖｉｎ）／チヌビン６２２（登録商標：Ｔｉｎｕｖｉｎ）／イルガノックス１０１０（登録商標：Ｉｒｇａｎｏｘ）；
チヌビン３１２（登録商標：Ｔｉｎｕｖｉｎ）／チヌビン１２３（登録商標：Ｔｉｎｕｖｉｎ）／イルガノックス１０１０（登録商標：Ｉｒｇａｎｏｘ）；
チヌビン３１２（登録商標：Ｔｉｎｕｖｉｎ）／キマソーブ１１９（登録商標：Ｃｈｉｍａｓｓｏｒｂ）／イルガノックス１０１０（登録商標：Ｉｒｇａｎｏｘ）；
チヌビン３１２（登録商標：Ｔｉｎｕｖｉｎ）／キマソーブ９４４（登録商標：Ｃｈｉｍａｓｓｏｒｂ）／イルガノックス１０１０（登録商標：Ｉｒｇａｎｏｘ）；
チヌビン３１２（登録商標：Ｔｉｎｕｖｉｎ）／キマソーブ２０２０（登録商標：Ｃｈｉｍａｓｓｏｒｂ）／イルガノックス１０１０（登録商標：Ｉｒｇａｎｏｘ）；
チヌビン３１２（登録商標：Ｔｉｎｕｖｉｎ）／サイアソーブＵＶ３５２９（登録商標：Ｃｙａｓｏｒｂ）／イルガノックス１０１０（登録商標：Ｉｒｇａｎｏｘ）；
チヌビン３１２（登録商標：Ｔｉｎｕｖｉｎ）／サイアソーブＵＶ３３４６（登録商標：Ｃｙａｓｏｒｂ）／イルガノックス１０１０（登録商標：Ｉｒｇａｎｏｘ）；
チヌビン３１２（登録商標：Ｔｉｎｕｖｉｎ）／ユヴァソルブＨＡ８８（登録商標：Ｕｖａｓｏｒｂ）／イルガノックス１０１０（登録商標：Ｉｒｇａｎｏｘ）；
チヌビン３１２（登録商標：Ｔｉｎｕｖｉｎ）／チヌビン６２２（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１２３（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ１１９（登録商標：Ｃｈｉｍａｓｓｏｒｂ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ９４４（登録商標：Ｃｈｉｍａｓｓｏｒｂ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ２０２０（登録商標：Ｃｈｉｍａｓｓｏｒｂ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３５２９（登録商標：Ｃｙａｓｏｒｂ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３３４６（登録商標：Ｃｙａｓｏｒｂ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／ユヴァソルブＨＡ８８（登録商標：Ｕｖａｓｏｒｂ）／イルガノックス１０１０（登録商標：Ｉｒｇａｎｏｘ）／イルガフォス１２６（登録商標：Ｉｒｇａｆｏｓ）
チヌビン３１２（登録商標：Ｔｉｎｕｖｉｎ）／チヌビン６２２（登録商標：Ｔｉｎｕｖｉｎ）／イルガノックス２４５（登録商標：Ｉｒｇａｎｏｘ）；
チヌビン３１２（登録商標：Ｔｉｎｕｖｉｎ）／チヌビン１２３（登録商標：Ｔｉｎｕｖｉｎ）／イルガノックス２４５（登録商標：Ｉｒｇａｎｏｘ）；
チヌビン３１２（登録商標：Ｔｉｎｕｖｉｎ）／キマソーブ１１９（登録商標：Ｃｈｉｍａｓｓｏｒｂ）／イルガノックス２４５（登録商標：Ｉｒｇａｎｏｘ）；
チヌビン３１２（登録商標：Ｔｉｎｕｖｉｎ）／キマソーブ９４４（登録商標：Ｃｈｉｍａｓｓｏｒｂ）／イルガノックス２４５（登録商標：Ｉｒｇａｎｏｘ）；
チヌビン３１２（登録商標：Ｔｉｎｕｖｉｎ）／キマソーブ２０２０（登録商標：Ｃｈｉｍａｓｓｏｒｂ）／イルガノックス２４５（登録商標：Ｉｒｇａｎｏｘ）；
チヌビン３１２（登録商標：Ｔｉｎｕｖｉｎ）／サイアソーブＵＶ３５２９（登録商標：Ｃｙａｓｏｒｂ）／イルガノックス２４５（登録商標：Ｉｒｇａｎｏｘ）；
チヌビン３１２（登録商標：Ｔｉｎｕｖｉｎ）／サイアソーブＵＶ３３４６（登録商標：Ｃｙａｓｏｒｂ）／イルガノックス２４５（登録商標：Ｉｒｇａｎｏｘ）；
チヌビン３１２（登録商標：Ｔｉｎｕｖｉｎ）／ユヴァソルブＨＡ８８（登録商標：Ｕｖａｓｏｒｂ）／イルガノックス２４５（登録商標：Ｉｒｇａｎｏｘ）；
チヌビン３１２（登録商標：Ｔｉｎｕｖｉｎ）／チヌビン６２２（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１２３（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ１１９（登録商標：Ｃｈｉｍａｓｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ９４４（登録商標：Ｃｈｉｍａｓｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ２０２０（登録商標：Ｃｈｉｍａｓｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３５２９（登録商標：Ｃｙａｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３３４６（登録商標：Ｃｙａｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／ユヴァソルブＨＡ８８（登録商標：Ｕｖａｓｏｒｂ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン６２２（登録商標：Ｔｉｎｕｖｉｎ）／イルガノックス１７２６（登録商標：Ｉｒｇａｎｏｘ）；
チヌビン３１２（登録商標：Ｔｉｎｕｖｉｎ）／チヌビン１２３（登録商標：Ｔｉｎｕｖｉｎ）／イルガノックス１７２６（登録商標：Ｉｒｇａｎｏｘ）；
チヌビン３１２（登録商標：Ｔｉｎｕｖｉｎ）／キマソーブ１１９（登録商標：Ｃｈｉｍａｓｓｏｒｂ）／イルガノックス１７２６（登録商標：Ｉｒｇａｎｏｘ）；
チヌビン３１２（登録商標：Ｔｉｎｕｖｉｎ）／キマソーブ９４４（登録商標：Ｃｈｉｍａｓｓｏｒｂ）／イルガノックス１７２６（登録商標：Ｉｒｇａｎｏｘ）；
チヌビン３１２（登録商標：Ｔｉｎｕｖｉｎ）／キマソーブ２０２０（登録商標：Ｃｈｉｍａｓｓｏｒｂ）／イルガノックス１７２６（登録商標：Ｉｒｇａｎｏｘ）；
チヌビン３１２（登録商標：Ｔｉｎｕｖｉｎ）／サイアソーブＵＶ３５２９（登録商標：Ｃｙａｓｏｒｂ）／イルガノックス１７２６（登録商標：Ｉｒｇａｎｏｘ）；
チヌビン３１２（登録商標：Ｔｉｎｕｖｉｎ）／サイアソーブＵＶ３３４６（登録商標：Ｃｙａｓｏｒｂ）／イルガノックス１７２６（登録商標：Ｉｒｇａｎｏｘ）；
チヌビン３１２（登録商標：Ｔｉｎｕｖｉｎ）／ユヴァソルブＨＡ８８（登録商標：Ｕｖａｓｏｒｂ）／イルガノックス１７２６（登録商標：Ｉｒｇａｎｏｘ）；
チヌビン３１２（登録商標：Ｔｉｎｕｖｉｎ）／チヌビン６２２（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１２３（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ１１９（登録商標：Ｃｈｉｍａｓｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ９４４（登録商標：Ｃｈｉｍａｓｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／キマソーブ２０２０（登録商標：Ｃｈｉｍａｓｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３５２９（登録商標：Ｃｙａｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／サイアソーブＵＶ３３４６（登録商標：Ｃｙａｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／ユヴァソルブＨＡ８８（登録商標：Ｕｖａｓｏｒｂ）／イルガノックス１７２６（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン１０１（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン５７１（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン２１３（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン３２８（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
ユヴィヌル３０３９（登録商標：Ｕｖｉｎｕｌ）／チヌビン１４４（登録商標：Ｔｉｎｕｖｉｎ）／イルガノックス１０１０（登録商標：Ｉｒｇａｎｏｘ）；
ユヴィヌル３０８８（登録商標：Ｕｖｉｎｕｌ）／チヌビン１４４（登録商標：Ｔｉｎｕｖｉｎ）／イルガノックス１０１０（登録商標：Ｉｒｇａｎｏｘ）；
チヌビン１２０（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン１０１（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン５７１（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン２１３（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン３２８（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
ユヴィヌル３０３９（登録商標：Ｕｖｉｎｕｌ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
ユヴィヌル３０８８（登録商標：Ｕｖｉｎｕｌ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン１２０（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン２３４（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン１０１（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン５７１（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン２１３（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン３２８（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
ユヴィヌル３０３９（登録商標：Ｕｖｉｎｕｌ）／チヌビン１４４（登録商標：Ｔｉｎｕｖｉｎ）／イルガノックス２４５（登録商標：Ｉｒｇａｎｏｘ）；
ユヴィヌル３０８８（登録商標：Ｕｖｉｎｕｌ）／チヌビン１４４（登録商標：Ｔｉｎｕ
ｖｉｎ）／イルガノックス２４５（登録商標：Ｉｒｇａｎｏｘ）；
チヌビン１２０（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン１０１（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン５７１（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン２１３（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン３２８（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
ユヴィヌル３０３９（登録商標：Ｕｖｉｎｕｌ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
ユヴィヌル３０８８（登録商標：Ｕｖｉｎｕｌ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン１２０（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（登録商標：Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン２３４（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン１０１（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン５７１（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン２１３（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン３２８（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
ユヴィヌル３０３９（登録商標：Ｕｖｉｎｕｌ）／チヌビン１４４（登録商標：Ｔｉｎｕｖｉｎ）／イルガノックス１７２６（登録商標：Ｉｒｇａｎｏｘ）；
ユヴィヌル３０８８（登録商標：Ｕｖｉｎｕｌ）／チヌビン１４４（登録商標：Ｔｉｎｕｖｉｎ）／イルガノックス１７２６（登録商標：Ｉｒｇａｎｏｘ）；
チヌビン１２０（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン１０１（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン５７１（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン２１３（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン３２８（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
ユヴィヌル３０３９（登録商標：Ｕｖｉｎｕｌ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
ユヴィヌル３０８８（登録商標：Ｕｖｉｎｕｌ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）；
チヌビン１２０（登録商標：Ｔｉｎｕｖｉｎ）／チヌビン１４４（登録商標：Ｔｉｎｕｖｉｎ）／イルガノックス１７２６（登録商標：Ｉｒｇａｎｏｘ）／イルガフォス１２６（登録商標：Ｉｒｇａｆｏｓ）。
【００３９】
より特に好ましいのは商業上入手可能な添加剤の下記の配合物のうち１種を含むポリエーテルポリオール、ポリエステルポリオール又はポリウレタンである：
チヌビン３１２（登録商標：Ｔｉｎｕｖｉｎ）／チヌビン１４４（登録商標：Ｔｉｎｕｖｉｎ）
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス２４５（登録商標：Ｉｒｇａｎｏｘ）／イルガフォス１２６（Ｉｒｇａｆｏｓ）；
チヌビン２３４（登録商標：Ｔｉｎｕｖｉｎ）／チヌビン１４４（登録商標：Ｔｉｎｕｖｉｎ）；
チヌビン１０１（登録商標：Ｔｉｎｕｖｉｎ）／チヌビン１４４（登録商標：Ｔｉｎｕｖｉｎ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン１２０（登録商標：Ｔｉｎｕｖｉｎ）／チヌビン１４４（登録商標：Ｔｉｎｕｖｉｎ）。
【００４０】
例えば、ポリエーテルポリオール、ポリエステルポリオール又はポリウレタンは商業上入手可能な添加剤の下記配合物のうち１種を含む：
チヌビン２３４（登録商標：ＴＩＮＵＶＩＮ）／チヌビン１４４（登録商標：ＴＩＮＵＶＩＮ）／イルガノックス１０１０（登録商標：Ｉｒｇａｎｏｘ）／イルガフォス１２６（Ｉｒｇａｆｏｓ）；
チヌビン３１２（登録商標：ＴＩＮＵＶＩＮ）／チヌビン７７０（登録商標：ＴＩＮＵＶＩＮ）／イルガノックス１０１０（登録商標：Ｉｒｇａｎｏｘ）／イルガフォス１２６（Ｉｒｇａｆｏｓ）；
チヌビン３１２（登録商標：ＴＩＮＵＶＩＮ）／チヌビン６２２（登録商標：ＴＩＮＵＶＩＮ）／イルガノックス１０１０（登録商標：Ｉｒｇａｎｏｘ）／イルガフォス１２６（Ｉｒｇａｆｏｓ）；
チヌビン３１２（登録商標：ＴＩＮＵＶＩＮ）／チヌビン１４４（登録商標：ＴＩＮＵＶＩＮ）／イルガノックス１０１０（登録商標：Ｉｒｇａｎｏｘ）／イルガフォス１２６（Ｉｒｇａｆｏｓ）；
チヌビン３２８（登録商標：ＴＩＮＵＶＩＮ）／チヌビン１４４（登録商標：ＴＩＮＵＶＩＮ）／イルガノックス１０１０（登録商標：Ｉｒｇａｎｏｘ）／イルガフォス１２６（Ｉｒｇａｆｏｓ）。
【００４１】
最も好ましいのは、商業上入手可能な添加剤の下記ブレンドのうち１種を含むポリエーテルポリオール、ポリエステルポリオール又はポリウレタンである：
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）。
【００４２】
最も特に好ましいのは、商業上入手可能な添加剤の下記ブレンドのうち１種を含むポリエーテルポリオール、ポリエステルポリオール又はポリウレタンである：
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン３１２（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（
Ｉｒｇａｆｏｓ）。
【００４３】
特に興味深いのは、商業上入手可能な添加剤の下記ブレンドのうち１種を含むポリエーテルポリオール、ポリエステルポリオール又はポリウレタンである：
チヌビン３１２（登録商標：Ｔｉｎｕｖｉｎ）／チヌビン２３４（登録商標：Ｔｉｎｕｖｉｎ）／チヌビン１４４（登録商標：Ｔｉｎｕｖｉｎ）／イルガノックス１０１０（登録商標：Ｉｒｇａｎｏｘ）／イルガフォス１２６（Ｉｒｇａｆｏｓ）；
チヌビン３１２（登録商標：Ｔｉｎｕｖｉｎ）／チヌビン２３４（登録商標：Ｔｉｎｕｖｉｎ）／チヌビン６２２（登録商標：Ｔｉｎｕｖｉｎ）／イルガノックス１０１０（登録商標：Ｉｒｇａｎｏｘ）。
記載された安定剤及び安定剤ブレンドは、酸化、熱及び／又は光誘導劣化に対するポリエーテルポリオール、ポリエステルポリオール又はポリウレタンのための安定剤として及びポリマーのかぶり寄与（ｆｏｇｇｉｎｇ  ｃｏｎｔｒｉｂｕｔｉｏｎ）減少剤として適する。
【００４４】
本発明のポリエーテルポリオール、ポリエステルポリオール又はポリウレタン組成物は、またフォーム（軟質、硬質、インテグラル（ｉｎｔｅｇｒａｌ））、微孔性（ｍｉｃｒｏｃｅｌｌｕｌａｒ）フォーム、注型ＰＵ（ｃａｓｔ  ＰＵ）、ＰＵスキン（ＰＵ  ｓｋｉｎ）、ＰＵホットメルト接着剤、シリル化ポリウレタン（ＳＰＵＲ）、熱可塑性ポリウレタン（ＴＰＵ）ＰＵエラストマー、人工皮革、ＰＵスキン、ＰＵ吹付塗膜又は反応射出成形物（ＲＩＭ）でもあり得る。
例えば、本発明のポリエーテルポリオール、ポリエステルポリオール又はポリウレタン組成物は起泡されていない。
ポリウレタンは、例えば末端ヒドロキシル基を含有するポリエーテル、ポリエステル及びポリブタジエン、すなわちポリオールと脂肪族又は芳香族ポリイソシアネートとを反応させることによって得られる。
【００４５】
末端ヒドロキシル基を有するポリエーテル及びポリエステルは知られており、及び例えばＢＦ3の存在下で、酸化エチレン、酸化プロピレン、酸化ブチレン、テトラヒドロフラ
ン、酸化スチレン又はエピクロロヒドリンのようなエポキシドとそれら自身とを重合させることによって、又はそれらのエポキシドの、単独での又は混合物としての又は連続してのアルコール、アンモニア又はアミン、例えばエチレングリコール、プロピレン１，３−及び１，２−グリコール、トリメチロールプロパン、４，４’−ジヒドロキシジフェニルプロパン、アニリン、エタノールアミン又はエチレンジアミンのような反応性水素原子を含有する出発成分との付加反応によって調製される。スクロースポリエーテルもまた本発明に従って適する。多くの場合において好ましいのは、主に（ポリエーテルに存在する全てのＯＨ基に基づき９０質量％まで）一次のＯＨ基を含有するポリエーテルである。さらに、例えばポリエーテルの存在下スチレンとアクリロニトリルを重合することによって形成されるようなビニルポリマーによって改質されたポリエーテルは、OH基含有ポリブタジエンが適するように適する。
それらの化合物は一般に、均質ポリウレタン及び気泡性ポリウレタンの調製で知られるように、分子量４０を有し、及びポリヒドロキシ化合物、特に２ないし８個のヒドロキシル基を含有する化合物、特に分子量８００ないし１００００、好ましくは１０００ないし６０００の化合物、例えば少なくとも２個、一般に２ないし８個、しかし好ましくは２個ないし４個のヒドロキシル基を含有するポリエーテルである。
【００４６】
少なくとも２個のイソシアネート反応性水素原子を含有し、特に分子量４００ないし１００００を有する上記化合物の混合物を用いることも当然可能である。
適するポリイソシアネートは、脂肪族、脂環式、アラリファティック（ａｒａｌｉｐｈａｔｉｃ）、芳香族及び複素環式ポリイソシアネート、例えばエチレンジイソシアネート
、１，４−テトラメチレンジイソシアネート、１，６−ヘキサメチレンジイソシアネート、１，１２−ドデカンジイソシアネート、シクロブタン１，３−ジイソシアネート、シクロへキサン１，３−及び１，４ジイソシアネート、及びまたそれらの異性体のあらゆる望ましい混合物、１−イソシアネート−３，３，５−トリメチル−５−イソシアネートメチルシクロへキサン、２，４−及び２，６−ヘキサヒドロトリレンジイソシアネート及びまたそれらの異性体のあらゆる望ましい混合物、ヘキサヒドロ−１，３−及び／又は−１，４−フェニレンジイソシアネート、ペルヒドロ−２，４’−及び／又は−４，４’−ジフェニルメタンジイソシアネート、１，３−及び１，４−フェニレンジイソシアネート、２，４−及び２，６−トリレンジイソシアネート、及びまたそれらの異性体のあらゆる望ましい混合物、ジフェニルメタン２，４’−及び／又は−４，４’−ジイソシアネート、ナフチレン１，５−ジイソシアネート、トリフェニルメタン４，４’，４’’−トリイソシアネート、アニリンホルムアルデヒド縮合に続いてホスゲン化によって得られるようなポリフェニル−ポリメチレンポリイソシアネート、ｍ−及びｐ−イソシアネートフェニルスルホニルイソシアネート、過塩素化アリールポリイソシアネート、カルボジイミド基含有ポリイソシアネート、アロファネート基含有ポリイソシアネート、イソシアヌレート基含有ポリイソシアネート、ウレタン基含有ポリイソシアネート、アシル化ウレア基含有ポリイソシアネート、ビウレット基含有ポリイソシアネート、エステル基含有ポリイソシアネート、上述したイソシアネートとアセタールとの反応生成物、及びポリマー状脂肪酸基含有ポリイソシアネートである。
また、イソシアネートの工業調製の過程で得られるイソシアネート基含有蒸留残渣をそのまま又は一種以上の上述したポリイソシアネート中に溶解して用いることも可能である。上述されたポリイソシアネートのあらゆる望ましい混合物を使用することが付加的に可能である。
特に好ましいのは一般に、工業的に簡単に得られるポリイソシアネート、例えば２，４−及び２，６−トリレンジイソシアネートのような芳香族イソシアネート及びそれら異性体のあらゆる望ましい混合物（“ＴＤＩ”）、アニリン−ホルムアルデヒド縮合に続くホスゲン化によって調製されるようなポリフェニル−ポリメチレン−ポリイソシアネート（“粗ＭＤＩ”）、及びカルボジイミド、ウレタン、アロファネート、ウレア又はビウレット基含有ポリイソシアネート（“改質ポリイソシアネート”）である。
【００４７】
ポリウレタンは好ましくは液体出発成分から調製される、すなわち互いに反応させるべき出発物質は一段階プロセスで一緒に混合される。
添加剤及び／又は安定剤ブレンドのポリエーテルポリオール、ポリエステルポリオール又はポリウレタンへの配合は、既知の方法によって、例えば混合、押出し、同時押出しの前又は間に行われるか、又は重合の前もしくは間又は架橋前に加えられ得る。添加剤及び／又は安定剤ブレンドが重合前に添加される場合、それらは１つ又は全ての反応物に溶解され得る。それらは好ましくはポリエーテルポリオール又はポリエステルポリオール中で溶解される。
【００４８】
本発明の組成物は、ポリウレタン（ＰＵ）化合物、熱可塑性ＰＵ、注型ＰＵ、反応射出成形物（ＲＩＭ）、吹付塗膜、ＰＵスキンを提供することにおいて、ポリウレタン産業とって必要なもの及び／又は要求を満たすことを助けるだろう。
本発明に従う組成物は、様々な目的のために及び様々な造形品の製造のために有利に使用され得る。例は：
Ｖ）接着剤、塗膜及びエラストマー
Ｖ−１）ＰＵエラストマー
Ｖ−１−Ａ）電気及び電子産業
ブッシュ、ケーブル接続、電気式制御及び調整のための構成部品、電磁スイッチ、硬質又は弾性封入剤、自動車電気のためのギヤシフトケーブルキャスティング（ｃａｓｔｉｎｇ
）、絶縁体、印刷回路、ポッティング、半導体、スイッチ、スイッチギヤ、中及び高電圧変圧器。
Ｖ−１−Ｂ）重工業
車輪、コンベヤベルト、ふるい及びライニング。
Ｖ−１−Ｃ）レジャー
スケートボードローラー。
Ｖ−２）接着剤
Ｖ−２−Ａ）自動車
フォーム上への生地の接着、自動車のフロントガラスの直接グレイジング、グレイジング代替品、様々な車構成部品の締付具、ファイバーボードへのホイル減圧積層。
Ｖ−２−Ｂ）建築及び土木技術
サンドイッチ断熱パネルの接着、床材、屋根材、駐車場の密閉、コンクリート舗装道路、工業用床材、縦目地用１成分シーリング材（プレキャストコンクリートパネル、伸縮目地）、垂直面用の注入可能な目地シーリング材（床から壁の目地）。
Ｖ−２−Ｃ）木工品
組み立て家具及び木材とプラスチックの異形材の貼り合わせ。
Ｖ−２−Ｄ）柔軟な包装
フィルムとフィルム及びフィルムとホイルの貼り合わせ。
Ｖ−２−Ｅ）履物
靴底の接着。
Ｖ−２−Ｆ）一般産業
電子産業、家庭用品、スピーカー音響パネル、オフィス家具、金属窓枠、空気調和装置、バス、コンテナ、ローリー、金属／シート金属構造物、客車、下水加工物、サイロ及び換気装置。
Ｖ−２−Ｇ）絶縁グレージング
Ｖ−２−Ｈ）ゴム粉末
再粉砕されたゴム廃棄物のための結合剤；複合材料は主に成形タイル、運動場（その場で）、競技用トラック（その場で）として使用される。
Ｖ−２−Ｊ）サンドイッチ構造
類似の基材を一緒に結合又は金属、プラスチック及び硬質フォームのような他の物質と結合；建築物、キャラバン、仕切り壁、冷蔵トラック、コンテナ及び冷蔵用の様々な積層パネルで使用される。
Ｖ−３）ポリウレタンホットメルト
Ｖ−３−Ａ）自動車用途、特に、気密用充てん材、外部装飾品、点灯レンズユニット及び風除け部品、レクリエーション用自動車の側壁のような機器クラスター、防音材、カーペット、シート、装飾品、外部用途として。
Ｖ−３−Ｂ）生地用途、特に積層、プロファイルラッピング（ｐｒｏｆｉｌｅ  ｗｒａｐｐｉｎｇ）。
Ｖ−３−Ｃ）家具産業、特に硬い接合木材、複合木材、金属ハードウェア、及び装飾プラスチック積層品を結合するために。
Ｖ−３−Ｄ）建設産業、特にドア及び窓枠、及びリノリュームフローリング用コーナー被覆（ｃｏｎｅｒ  ｃｏｖｅｒｉｎｇ）の組み立て部品。
【００４９】
ＶＩ）ＴＰＵ
ＶＩ−１）接着剤等級
靴（靴底の上で結合）、飾革（粉末）、家具、日曜大工及び自動車用接着剤。
ＶＩ−２）押出し等級
ＶＩ−２−Ａ）ケーブル及びワイヤ用途
家庭電化製品ケーブル、屋外電気ケーブル、工業ケーブル及びワイヤ。
ＶＩ−２−Ｂ）ホース及びチューブ
圧気輸送装置、換気装置、圧気調整装置、圧気開路、油圧チューブ、波形管、消火ホース、電気掃除機のチューブ。
ＶＩ−２−Ｃ）異形材用途
円形コード、歯形ベルト、ガスケット、ボーデンケーブル、ストリッパーブレード、ケーブル。
ＶＩ−３）フィルム及びシート
それらは芳香族及び脂肪族の両方のＴＰＵｓから作られる。典型的な用途は遮断フィルム、接着フィルム、シームテープ、防犯ガラスにおける中間層である。
ＶＩ−３−Ａ）脂肪族ＴＰＵの光学用途
防犯積層品、防犯表示画面。
ＶＩ−３−Ｂ）脂肪族ＴＰＵの非光学用途
交通及び警告信号、自動車外装用途のための保護膜、工業用テープ、工業用ボート及び気球、食品包装用フィルム、航空宇宙産業。
ＶＩ−３−Ｂ）溶融塗布
食品輸送及び工業製品用ベルト。
ＶＩ−４）射出成形
ＶＩ−４−Ａ）一般目的
耳標、車輪、馬蹄、プラグ、腕時計のストラップ。
ＶＩ−４−Ｂ）高性能／特殊化合物
運動靴用の透明な靴底、スキーゴーグル用フレーム、工業用部品、スクリーン[採鉱用（
ｍｉｎｉｎｇ）]。
ＶＩ−４−Ｃ）自動車用途
ギヤシフトノブ、ベアリングソケット、ケーブルプラグ、軸受筒、ケーシング、摩擦軸受。
ＶＩ−４−Ｄ）シール用途
水封、ストリッパーリング、ガスケット、空気封、膜。
【００５０】
ＶＩＩ）自動車用途
バンパー、ダッシュボード、バッテリー、リア及びフロントライニング、ボンネットの下の成形部品、ハットシェルフ、トランクライニング、室内装飾ライニング、エアバッグカバー、フィッティング用電子成形品（ライト）、ダッシュボード用パン、ヘッドランプガラス、計器パネル、外部ライニング、椅子張り、自動車ライト、ヘッドライト、駐車灯、後灯、停止灯、室内装飾及び外部装飾品；ドアパネル；ガスタンク；前側グレージング；リヤウィンドウ；背もたれ、外部パネル、電線用絶縁体、シール用異形押出し品、クラッディング（ｃｌａｄｄｉｎｇ）、ピラーカバー、シャーシ部品、排気装置、燃料フィルタ／給油口、燃料ポンプ、燃料タンク、本体側面の成形品、コンバーチブル屋根、外部ミラー、外部装飾品、締付具／取付具、フロントエンドモジュール、ガラス、ヒンジ、錠装置、荷台／ルーフラック、加圧／型押部品、シール、側面衝突防御、消音材／絶縁体及びサンルーフ。
ＶＩＩ−１）軟質フォーム、特に肘掛け、ヘッドリストレイント、音響フォームカーペット（ａｃｏｕｓｔｉｃ  ｆｏａｍ  ｃａｒｐｅｔ）、座席。
ＶＩＩ−２）半硬質フォーム、特にルーフライナー、帽子掛け、ドアパネル、肘掛け、計器パネル、耐頭部衝撃材、耐側面衝撃材。
ＶＩＩ−３）硬質フォーム、特に空洞の充てんフォーム。
ＶＩＩ−４）軟質なインテグラルフォーム、特にステアリングホイール、エアフィルタ、ギヤシフトノブ、スポイラー、ケーブルシーティング（ｃａｂｌｅ  ｓｈｅｅｔｉｎｇ）、ヘッドリストレイント。
ＶＩＩ−５）ＲＩＭ、特にバンパー、サンルーフ、フロント及びリヤスカート、ドアスチールスカッフプレート、
ＶＩＩ−６）ＴＰＵ、特にフロント及びリヤスカート、ドアシルスカッフプレート、ケーブルシーティング、ギヤシフトノブ、計器パネル。
ＶＩＩ−７）注型ＰＵ系、特にスプリング補助、スプリング断路、シートダンピング（ｓｅａｔ  ｄａｍｐｉｎｇ）、トップマウント、ロールリストリクタ（ｒｏｌｌ  ｒｅｓｔｒｉｃｔｏｒ）、非常用車輪、ボディマウント、ドア系の停止装置。
【００５１】
ＶＩＩＩ）履物
靴／靴底（中敷、スパッツ（ｓｐａｔｓ）、接着剤、構造用接着剤）。
ＩＸ）家具
Ｘ）スポーツ用品
スポーツ及びフィットネス用品のような余暇時間のための製品、体操マット、スキーブーツ、インラインスケート、スキー、ビッグフット（ｂｉｇ  ｆｏｏｔ）、運動競技表面材（例えば、テニス場）
【００５２】
ＸＩ）その他
複合板、断熱板及びブロック、工業用絶縁体、配管絶縁体、食品箱（果物、野菜、肉、魚）、合成紙、瓶用ラベル、カウチ（ｃｏｕｃｈｅｓ）、ヒトの人工関節、印刷板（フレキソ印刷）、印刷回路板、ディスプレイ技術、スクリュー先端部、瓶の先端部及び栓、並びに缶。
例えば
１）ＰＵエラストマー
２）ＰＵスキン（ＰＵ  ｓｋｉｎ）
３）ＰＵ吹き付け塗膜
４）熱可塑性ポリウレタン（ＴＰＵ）
５）ＰＵ人工皮革
６）シリル化ポリウレタン（ＳＰＵＲ）
７）ＰＵホットメルト接着剤
８）注型ＰＵ
９）ＰＵフォーム（軟質、硬質、インテグラル）
１０）微孔性ＰＵ
１１）反応射出成形物（ＲＩＭ）。
このように、本発明の更なる態様は上述したような組成物を含有する造形品、特に人工皮革、衝撃吸収材、インラインスケートのローラー及び履物に関する。
【実施例】
【００５３】
【化４２】
2008504422.tif 000044
パーセンテージ及び比率は、質量パーセント及び質量比を意味する。
配合：
熱可塑性ポリウレタン（ＴＰＵ）ペレット２．５ｋｇ[バイヤーマテリアルサイエンス
（登録商標：Ｂａｙｅｒ  Ｍａｔｅｒｉａｌ  Ｓｃｉｅｎｃｅ）のデスモパン３８５Ｓ（登録商標：Ｄｅｓｍｏｐａｎ）]を、ペンタエリトリトールテトラキス３−（３，５−ジ
−第三ブチル−４−ヒドロキシフェニル）プロピオネート[イルガノックス１０１０（登
録商標：Ｉｒｇａｎｏｘ）]０．３３％、ビス（２，４−ジ−第三ブチルフェニル）ペン
タエリトリトールジホスフィット[イルガフォス１２６（登録商標：Ｉｒｇａｆｏｓ）]０．１７％とともに、及び以下の表に与えられる光安定剤の組み合わせとともにタンブルミキサー中で均一に混合した。このブレンドを次に最高１８０℃の温度でベルストルフ（登録商標：Ｂｅｒｓｔｏｒｆｆ）の二軸押出機で押出した。延伸後、冷却するために水浴を通した前記押出物を粗砕した。
射出成形：
６４ｍｍ×４０ｍｍ×２ｍｍの試験パネルを最高１８０℃（成形温度５０℃）の温度で射出成形機によってそれらの顆粒から成形した。前記試料をウェザロメーター（ＷＯＭ）ｂｐｔ６３℃、０．３５Ｗ／ｍ２において露光した。
フィルム調製
ＴＰＵペレット４ｇを溶剤としてＤＭＦ２２ｇで溶解した。ＴＰＵフィルムを２５０ミクロンドクターブレードを用いてフィルムを延伸することによって調製した。ＤＭＦ溶剤を蒸発し、そしてフィルムを乾燥した。最終的なフィルムの厚さは４０ミクロンだった。
露光
試料はλ＝３４０ｎｍでウェザロメーター（ＷＯＭ）ｂｐｔ６３℃、０．３５Ｗ／ｍ2
ｎｍにおいて露光した。
カラハリ（Ｋａｌａｈａｒｉ）露光を、ＶＷ試験ＰＶ３９２９に従いキセノン露光を用いて７５Ｗ／ｍ２、λ＝３００ないし４００ｎｍで行った。
色測定：
色品質を、ＡＳＴＭ１９２６−７０黄色度試験に従いＴＰＵ試料上で測定した黄色度指数（ＹＩ）で報告した。低ＹＩ値はわずかな着色、高ＹＩ値は試料の激しい着色を意味する。ＴＰＵがより白色になる程ＴＰＵがより安定化した。
表１：初期着色及び様々な光安定剤系を用いて得られる光安定性の測定。（ＡＳＴＭ１９２６−７０に従い測定）。
２ｍｍプラーク、ウェザロメーター（ＷＯＭ）ｂｐｔ６３℃、０．３５Ｗ／ｍ２
*表１における全ての配合物は、イルガノックス１０１０（登録商標：ＩＲＧＡＮＯＸ）
０．３３％及びイルガフォス１２６（ＩＲＧＡＦＯＳ）０．１７％を含有する。
【表１】
2008504422.tif 000045
表２：初期着色及び様々な光安定剤系を用いて得られる光安定性の測定。（ＡＳＴＭ１９２６−７０に従い測定）。
フィルム、ウェザロメーター（ＷＯＭ）ｂｐｔ６３℃、０．３５Ｗ／ｍ２
*表２における全ての配合物は、イルガノックス１０１０（登録商標：ＩＲＧＡＮＯＸ）
０．３３％及びイルガフォス１２６（ＩＲＧＡＦＯＳ）０．１７％を含有する。
【表２】
2008504422.tif 000046
表３：初期着色及び様々な光安定剤系を用いて得られる光安定性の測定。（ＡＳＴＭ１９２６−７０に従い測定）。
２ｍｍプラーク、カラハリ露光（ＶＷ試験ＰＶ３９２９）
*表３における全ての配合物は、イルガノックス１０１０（登録商標：ＩＲＧＡＮＯＸ）
０．３３％及びイルガフォス１２６（ＩＲＧＡＦＯＳ）０．１７％を含有する。
【表３】
2008504422.tif 000047
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
（ａ）ポリエーテルポリオール、ポリエステルポリオール又はポリウレタン、
（ｂ）下記の式（Ｉ）で表されるＵＶ吸収剤及び／又は下記の式（ＩＩ）で表されるヒンダードアミン光安定剤
【化１】
2008504422.tif 000061
（式中、Ｒ1及びＲ2は、互いに独立して炭素原子数１ないし４のアルキル基又は炭素原子数１ないし４のアルコキシ基を表す。）、及び
（ｃ）前記成分（Ｉ）及び（ＩＩ）のうち１つだけが存在する場合、少なくとも１種の更なるヒンダードアミン光安定剤及び／又はヒドロキシフェニル−トリアジン、ベンゾフェノン、オキサニリド、アクリレート及びシアンアクリレート類からなる群から選ばれるＵＶ吸収剤を含む組成物であって、但し、成分（ｃ）が下記の式（Ａ）ないし（Ｄ）
【化２】
2008504422.tif 000062
で表される化合物ではない組成物。
【請求項２】
前記成分（ｃ）として下記の式ＨＡ−１ないしＨＡ−１１で表されるヒンダードアミン光安定剤又は下記の式ＵＶ−５ないしＵＶ−８で表されるＵＶ吸収剤を含む、請求項１記載の組成物
【化３】
2008504422.tif 000063
【化４】
2008504422.tif 000064
【化５】
2008504422.tif 000065
【化６】
2008504422.tif 000066
【化７】
2008504422.tif 000067
ＨＡ−１１）７−オキサ−３，２０−ジアザジスピロ[５．１．１１．２]ヘンエイコサノ−２１−オン、２，２，４，４−テトラメチル−２０−（オキシラニルメチル）−と（クロロメチル）オキシランとのポリマー（別名：エピクロロヒドリン−２，２，４，４−テトラメチル−７−オキサ−３，２０−ジアザ−２０−（２，３−エポキシプロピル）ジスピロ[５．１．１１．２]ヘンエイコサノ−２１−オンコポリマー）
【化８】
2008504422.tif 000068
【化９】
2008504422.tif 000069
【請求項３】
更なる添加剤を含む、請求項１記載の組成物。
【請求項４】
更なる安定剤を含む、請求項１記載の組成物。
【請求項５】
更なる安定剤として酸化防止剤、光安定剤及び／又は加工安定剤を含む、請求項４記載の組成物。
【請求項６】
更なる安定剤としてフェノール系及び／又はアミン系酸化防止剤、ヒンダードアミン光安定剤、ＵＶ吸収剤、ホスフィット、ホスホナイト及び／又はベンゾフラノンを含む、請求項５記載の組成物。
【請求項７】
更なる安定剤としてヒンダードアミン光安定剤、ＵＶ吸収剤、フェノール系酸化防止剤及び／又はホスフィットを含む、請求項６記載の組成物。
【請求項８】
前記成分（ｂ）が、式（Ｉ）で表されるＵＶ吸収剤と式（ＩＩ）で表されるヒンダードアミン光安定剤の組合せである、請求項１記載の組成物。
【請求項９】
前記式（Ｉ）で表されるＵＶ吸収剤が式（Ｉａ）
【化１０】
2008504422.tif 000070
で表される化合物である、請求項１記載の組成物。
【請求項１０】
前記成分（ｂ）が前記式（Ｉ）で表されるＵＶ吸収剤であり、及び前記成分（ｃ）がヒンダードアミン光安定剤である、請求項１記載の組成物。
【請求項１１】
前記成分（ｂ）が前記式（ＩＩ）で表されるヒンダードアミン光安定剤であり、及び成分（ｃ）がＵＶ吸収剤である、請求項１記載の組成物。
【請求項１２】
前記成分（ｂ）及び（ｃ）の総量が組成物の質量に基づき０．０１％ないし５％である、請求項１記載の組成物。
【請求項１３】
前記成分（ｂ）及び（ｃ）の総量が組成物の質量に基づき０．５％ないし２％である、請求項１記載の組成物。
【請求項１４】
前記成分（ｂ）：（ｃ）又は前記式（Ｉ）で表される化合物：式（ＩＩ）で表される化合物の割合がそれぞれ１０：１ないし１：１０である、請求項１記載の組成物。
【請求項１５】
前記成分（ｂ）：（ｃ）又は前記式（Ｉ）で表される化合物：式（ＩＩ）で表される化合物の割合がそれぞれ３：１ないし１：３である、請求項１記載の組成物。
【請求項１６】
光、酸素及び／又は熱による劣化に対するポリエーテルポリオール、ポリエステルポリオール又はポリウレタンのための安定剤としての請求項１で定義される成分（ｂ）及び（ｃ）の混合物の使用。
【請求項１７】
前記混合物が付加的に更なる添加剤及び／又は更なる安定剤を含む、請求項１６記載の混合物の使用。
【請求項１８】
光、酸素及び／又は熱による劣化に対してポリエーテルポリオール、ポリエステルポリオール又はポリウレタンを安定化する方法であって、前記物質に請求項１で定義された成分（ｂ）及び（ｃ）の混合物を配合することを含む方法。
【請求項１９】
前記混合物が付加的に更なる添加剤及び／又は更なる安定剤を含む、請求項１８記載の方法。
【国際調査報告】
2008504422.tif 000071
2008504422.tif 000072